(57)【要約】【課題】画像データの漏洩を防止することのできる画像通信システムを得る。【解決手段】画像蓄積サーバ１００と画像表示装置３００とに、共通の通信状態遷移パターンを管理するサーバ用通信状態遷移パターン管理手段１０１と端末用通信状態遷移パターン管理手段３０１とを設ける。画像蓄積サーバ１００の画像データ生成手段１０２は、送信する画像表示装置３００に対応した通信状態遷移パターンを用いて画像データを生成する。画像表示装置３００の画像データ復元手段３０２は、自装置に対応した通信状態遷移パターンを用いて画像データを復元する。【選択図】図１
2007181069.tif 000002
【特許請求の範囲】
【請求項１】
画像を配信する画像蓄積サーバと、当該画像蓄積サーバから受信した画像を表示する画像表示装置からなる画像通信システムであって、
前記画像蓄積サーバは、
予め設定した前記画像表示装置と複数の通信状態遷移パターンとの対応関係を管理し、これら複数の通信状態遷移パターンのうち、特定の画像表示装置に対応した通信状態遷移パターンを選択するサーバ用通信状態遷移パターン管理手段と、
前記サーバ用通信状態遷移パターン管理手段で選択された通信状態遷移パターンを用いて、前記特定の画像表示装置に送信する画像データを生成する画像データ生成手段とを備え、
前記画像表示装置は、
前記画像蓄積サーバで保持されている通信状態遷移パターンと同一の通信状態遷移パターンを管理し、自画像表示装置に対応した通信状態遷移パターンを選択する端末用通信状態遷移パターン管理手段と、
前記画像蓄積サーバより受信した画像データから、前記端末用通信状態遷移パターン管理手段で選択された通信状態遷移パターンを用いて表示画像データを復元する画像データ復元手段とを備えた画像通信システム。
【請求項２】
画像蓄積サーバは、
画像表示装置との通信履歴を管理するサーバ用通信履歴管理手段を備え、
サーバ用通信状態遷移パターン管理手段は、前記画像表示装置との通信履歴に対応して通信遷移パターンを選択し、
前記画像表示装置は、
前記画像蓄積サーバとの通信履歴を管理する端末用通信履歴管理手段を備え、
端末用通信状態遷移パターン管理手段は、前記端末用通信履歴管理手段で管理される通信履歴に対応して通信遷移パターンを選択することを特徴とする請求項１記載の画像通信システム。
【請求項３】
サーバ用通信履歴管理手段と端末用通信履歴管理手段は、相互の通信履歴に不整合が生じた場合に、管理する通信履歴をリセットすることを特徴とする請求項２記載の画像通信システム。
【請求項４】
画像蓄積サーバは、
画像表示装置と同期した時刻情報を管理するサーバ用時刻情報管理手段を備え、
サーバ用通信状態遷移パターン管理手段は、前記サーバ用時刻情報管理手段で管理される時刻情報に対応して通信遷移パターンを選択し、
前記画像表示装置は、
前記画像蓄積サーバと同期した時刻情報を管理する端末用時刻情報管理手段を備え、
端末用通信状態遷移パターン管理手段は、前記端末用時刻情報管理手段で管理される時刻情報に対応して通信遷移パターンを選択することを特徴とする請求項１記載の画像通信システム。
【請求項５】
ネットワークのプロトコルとしてＴＣＰ／ＩＰを用い、時刻情報管理手段の時刻同期にＮＴＰを用いたことを特徴とする請求項４記載の画像通信システム。
【請求項６】
画像表示装置は、
復元された表示画像データを一時的に保持する画像メモリと、
画像蓄積サーバから受信した画像データを蓄積する画像データ蓄積手段とを備え、
画像データ復元手段は、前記画像データ蓄積手段に蓄積された画像データを用いて表示画像データを復元し、前記画像メモリに送出することを特徴とする請求項１から請求項５のうちのいずれか１項記載の画像通信システム。
【請求項７】
画像表示装置は、
受信した画像データを外部に送出したことを検知した場合、これを画像蓄積サーバに通知する画像データ転送通知手段を備え、
画像蓄積サーバは、
前記画像データ転送通知手段より、通知を受けた場合、当該画像表示装置は画像データの不正使用を行ったと判定する不正使用判定手段を備えたことを特徴とする請求項１から請求項６のうちのいずれか１項記載の画像通信システム。
【請求項８】
画像データ転送通知手段は、画像データを外部に送出しようとした場合、警告情報を発生することを特徴とする請求項７記載の画像通信システム。
【請求項９】
画像データ生成手段は、画像データを圧縮符号化し、
画像データ復元手段は、画像データを復号して表示画像データを復元することを特徴とする請求項１から請求項８のうちのいずれか１項記載の画像通信システム。
【発明の詳細な説明】
【技術分野】
【０００１】
この発明は、画像蓄積サーバから画像表示装置に画像データを送信し、この画像データを画像表示装置で表示する画像通信システムに関するものである。
【背景技術】
【０００２】
従来の画像通信システムは、サーバおよびクライアントの双方に通信記録を保存し、前回の通信記録の照合を行うことによって、不正アクセスを検知していた（例えば、特許文献１参照）。
【０００３】
【特許文献１】特開２０００−２９８４１号公報
【発明の開示】
【発明が解決しようとする課題】
【０００４】
従来の画像通信システムは、サーバにアクセスするクライアントがなりすまし端末であるか認証で判定し、なりすまし端末でないときネットワークを介して画像データの送受を行うものである。しかしながら、画像データの送受の通信状態遷移パターンは固定的であり、その通信状態遷移パターンが他のクライアントに知れた場合には認証を行わなくともネットワーク上の傍受で画像データを獲得出来てしまうという問題点があった。
【０００５】
この発明は上記のような課題を解決するためになされたもので、クライアント毎に任意の通信状態遷移パターンを使用し画像データの送受を行うことで画像データの漏洩を防止することのできる画像通信システムを得ることを目的とする。
【課題を解決するための手段】
【０００６】
この発明に係る画像通信システムは、画像蓄積サーバと画像表示装置とに、共通の通信状態遷移パターンを管理するサーバ用通信状態遷移パターン管理手段と端末用通信状態遷移パターン管理手段とを設け、画像蓄積サーバの画像データ生成手段は、送信する画像表示装置に対応した通信状態遷移パターンを用いて画像データを生成し、画像表示装置の画像データ復元手段は、自装置に対応した通信状態遷移パターンを用いて画像データを復元するようにしたものである。
【発明の効果】
【０００７】
この発明の画像通信システムは、画像蓄積サーバより、通信状態遷移パターンに基づいて画像データを送信し、画像表示装置では、通信状態遷移パターンに基づいて画像データを復元するようにしたので、画像データの漏洩を防止することのできる画像通信システムを得ることができる。
【発明を実施するための最良の形態】
【０００８】
実施の形態１．
図１は、この発明の実施の形態１による画像通信システムを示す構成図である。
図において、画像通信システムは、画像データを大量に蓄積してネットワーク２００を介して配信する画像蓄積サーバ１００と、例えば、ＩＰ（インターネットプロトコル）を採用した広帯域かつ公衆的な通信路であるネットワーク２００と、ネットワーク２００を介して画像蓄積サーバ１００から受信した画像データを表示する画像表示装置３００から構成されている。尚、ネットワーク２００にはネットワーク２００上を流れる画像データを傍受して獲得する傍受画像表示装置４００が接続されているものとする。また、図面上では、画像表示装置３００は１台しか示されていないが、複数の画像表示装置３００がネットワーク２００に接続されているものとする。
【０００９】
画像蓄積サーバ１００は、配信する画像データをＮ個のブロックに分割し、Ｍ個のダミーデータのブロックを織り交ぜながらネットワーク２００を介し画像表示装置３００に配信するよう構成されている。ここで、分割するブロックとしては、例えば、１フレーム分の画像データを１ラインずつＮ個に分割する。この場合、Ｎ個の分割単位としては、動画／静止画の副走査ライン数／垂直方向画素数となる。尚、動画の場合は当然複数のフレームが存在するが、基本的に１フレーム分の繰り返しとする。また、Ｍ個のダミーデータの挿入については、条件等により適宜設定するものとする。
【００１０】
尚、Ｎ個のブロックに分割する画像データとしては１フレーム分とすることで実装上の利点を有するが、この単位に限定されるものではなく、分割対象となる画像データはどのような単位のデータであっても良い。
【００１１】
画像蓄積サーバ１００は、サーバ用通信状態遷移パターン管理手段１０１と、画像データ生成手段１０２と、通信制御手段１０３とを備えている。サーバ用通信状態遷移パターン管理手段１０１は、予め設定した、画像表示装置３００と複数の通信状態遷移パターンとの対応関係を管理し、これら複数の通信状態遷移パターンのうち、任意の画像表示装置３００から受け取った、その画像表示装置３００の識別情報である端末ＩＤに基づいて、その画像表示装置３００に対応した通信状態遷移パターンを選択する機能を有している。即ち、Ｎ個の分割画像データとＭ個のダミーデータの送信順番を記した複数の通信状態遷移パターンテーブル５００を管理している。通信状態遷移パターンテーブル５００には、各々Ｎ個のブロックに分割された画像データにＭ個のダミーデータのブロックを織り交ぜた送信順番が記録されており、Ｌ個の通信状態遷移パターンテーブル５００に同一のものは存在しないように作成されている。また、値Ｌとしては、画像蓄積サーバ１００がネットワーク２００を介して画像配信を行う画像表示装置３００の個数と同数としているが、これ以上の値であればどのような値であってもよい。
【００１２】
図２は、各画像表示装置３００と通信状態遷移パターンテーブル５００との対応関係を示す説明図である。
図２において、端末ＩＤは、Ｌ個の画像表示装置３００を識別するための識別情報、通信状態遷移パターンテーブルNo.は、それぞれの通信状態遷移パターンテーブル５００の番号を示している。また、これらの設定情報は、サーバ用通信状態遷移パターン管理手段１０１および端末用通信状態遷移パターン管理手段３０１で保持される。
【００１３】
図１に戻って、画像データ生成手段１０２は、サーバ用通信状態遷移パターン管理手段１０１で選択された特定の画像表示装置３００に対応した通信状態遷移パターンを用いて、その画像表示装置３００に送信する画像データを生成する機能を有し、画像データ蓄積手段１０４と画像データ分割手段１０５から構成されている。
【００１４】
画像データ蓄積手段１０４は、画像表示装置３００に配信するための画像データを蓄積する手段である。画像データ分割手段１０５は、サーバ用通信状態遷移パターン管理手段１０１で選択された通信状態遷移パターンテーブル５００を用いて、画像データ蓄積手段１０４の蓄積画像データを読み出してＮ個のブロックに分割し、Ｎ個のブロックに分割した画像データにＭ個のダミーデータのブロックを織り交ぜた画像データを生成する機能を有している。
【００１５】
通信制御手段１０３は、ネットワーク２００を介して画像表示装置３００とのデータの授受を制御するための手段である。
【００１６】
画像表示装置３００は、図１に示すように、端末用通信状態遷移パターン管理手段３０１、画像データ復元手段３０２、画像メモリ３０３、通信制御手段３０４、端末ＩＤ記録手段３０５を備えている。端末用通信状態遷移パターン管理手段３０１は、画像蓄積サーバ１００のサーバ用通信状態遷移パターン管理手段１０１で保持されている通信状態遷移パターンテーブル５００と同一の通信状態遷移パターンテーブル５００を管理すると共に、端末ＩＤ記録手段３０５に記録されている端末ＩＤに基づいて、自画像表示装置３００に対応した通信状態遷移パターンを選択する機能を有している。
【００１７】
画像データ復元手段３０２は、画像蓄積サーバ１００から受信した画像データを、端末用通信状態遷移パターン管理手段３０１で選択された通信状態遷移パターンを用いてＮ個のブロックに分割された画像データを合成し、表示画像を復元する手段である。即ち、画像データ復元手段３０２は、通信状態遷移パターンテーブル５００に基づいて、画像データは画像メモリ３０３に蓄積し、ダミーデータは破棄する処理を行う。また、画像メモリ３０３は、分割された画像データを蓄積すると共に、画像データ復元手段３０２で復元された表示画像データを保持し、画像表示装置３００に接続されている表示器３０６に表示させるための記憶部である。
【００１８】
通信制御手段３０４は、ネットワーク２００を介して画像蓄積サーバ１００への画像配信要求や画像データの受信といった画像蓄積サーバ１００との通信制御を行う手段である。端末ＩＤ記録手段３０５は、自装置の識別情報である端末ＩＤを記録するための手段である。
【００１９】
傍受画像表示装置４００は、上述したように、ネットワーク２００上の画像データを傍受して獲得する画像表示装置であり、通信制御手段４０１、画像データ復元手段４０２、画像メモリ４０３を備えている。通信制御手段４０１は、ネットワーク２００上に流れる画像データを傍受するための通信制御を行う手段である。画像データ復元手段４０２は、ネットワーク２００を介して傍受した画像データを復元する機能を有している。但し、傍受画像表示装置４００では、画像表示装置３００の端末用通信状態遷移パターン管理手段３０１の構成を有しないため、ダミーデータが挿入された画像データは正常には復元できない点が画像データ復元手段３０２とは異なっている。画像メモリ４０３は、画像表示装置３００の画像メモリ３０３と同様に、画像データ復元手段４０２から出力された表示画像データを一時記憶し、傍受画像表示装置４００に接続されている表示器４０４に表示させるための記憶部である。
【００２０】
次に、本実施の形態の画像通信システムの動作について説明する。
図３は、実施の形態１の画像通信システムの通信シーケンスを示す説明図である。
先ず、以下のシーケンスを実施する以前に、郵送等の手段により、画像蓄積サーバ１００の管理者から画像表示装置３００の利用者宛にネットワーク２００を介さずに端末ＩＤが送付されているものとする。また、通信状態遷移パターンテーブル５００は、予め画像表示装置３００の端末用通信状態遷移パターン管理手段３０１に格納されてユーザに届けられるか、あるいは、画像蓄積サーバ１００の管理者からＣＤ−ＲＯＭ等が郵送され、これを端末用通信状態遷移パターン管理手段３０１に格納する。
【００２１】
画像表示装置３００において、端末ＩＤを入手すると、画像表示装置３００の利用者は、端末ＩＤ記録処理として、画像蓄積サーバ１００の管理者から受け取った端末ＩＤを画像表示装置３００の端末ＩＤ記録手段３０５に記録する（ステップＳＴ１）。次に、画像閲覧開始処理（ステップＳＴ２）において、画像表示装置３００の通信制御手段３０４は、端末ＩＤ記録手段端末ＩＤ記録手段３０５から端末ＩＤを読み出し、端末ＩＤを内包する画像データ要求を作成し、ネットワーク２００を介して画像蓄積サーバ１００に向け送信する。
【００２２】
次に、画像データ分割処理（ステップＳＴ３）において、画像蓄積サーバ１００の通信制御手段１０３は、ネットワーク２００を介して画像表示装置３００から端末ＩＤを内包する画像データ要求を受信する。そして画像蓄積サーバ１００の画像データ分割手段１０５が、画像データ蓄積手段１０４から画像データを読み出し、Ｎ個の画像データのブロックに分割する。
【００２３】
また、通信状態遷移パターン確認処理（ステップＳＴ４）において、画像蓄積サーバ１００のサーバ用通信状態遷移パターン管理手段１０１は、図２に示した端末ＩＤと通信状態遷移パターンテーブル５００との関係に従い、受信した端末ＩＤに対応する番号の通信状態遷移パターンテーブル５００を選択する。
【００２４】
次に、画像データ送信処理（ステップＳＴ５）において、画像蓄積サーバ１の画像データ分割手段１０５は、通信制御手段７を介して、通信状態遷移パターン確認処理（ステップＳＴ４）で選択された通信状態遷移パターンテーブル５００に従い、画像データかダミーデータのいずれかのブロックをネットワーク２００を介して画像表示装置３００に向け送信する。
【００２５】
次に、通信状態遷移パターン確認処理（ステップＳＴ６）において、画像表示装置３００の通信状態遷移パターン管理手段３０１は、図２に示した設定情報に従い、端末ＩＤ記録手段３０５に記録された端末ＩＤに対応する番号の通信状態遷移パターンテーブル５００を選択する。
【００２６】
画像データ蓄積処理（ステップＳＴ７）において、画像表示装置３００の通信制御手段３０４が、ネットワーク２００を介して画像蓄積サーバ１００から画像データかダミーデータのいずれかのブロックを受信する。そして、通信状態遷移パターン確認処理（ステップＳＴ６）で選択された通信状態遷移パターンテーブル５００を参照し、受信したデータのブロックが画像データであれば画像メモリ３０３に蓄積し、ダミーデータであれば画像メモリ３０３に蓄積せず破棄する。
【００２７】
一方、画像データ蓄積処理（ステップＳＴ８）において、傍受画像表示装置４００の通信制御手段４０１がネットワーク２００を介して画像蓄積サーバ１００から画像データかダミーデータのいずれかのブロックを傍受したとする。
傍受画像表示装置４００は、画像表示装置３００の端末ＩＤを特定することも出来ない上に、端末用通信状態遷移パターン管理手段３０１も無いため、通信状態遷移パターン確認処理（ステップＳＴ６）を実行することができず、画像表示装置３００の端末ＩＤに対応する通信状態遷移パターンテーブル５００を参照することが出来ない。よって、受信ブロックがダミーデータであっても破棄出来ず、画像メモリ４０３に蓄積してしまう。
【００２８】
このように、画像蓄積サーバ１００においては、通信状態遷移パターン確認処理（ステップＳＴ４）と画像データ送信処理（ステップＳＴ５）が繰り返され、１フレーム分の画像データとダミーデータが送信される。即ち、画像データ分割手段１０５は、１フレーム分の画像データを１ラインずつＮ個に分割し、Ｍ個のダミーデータを織り交ぜながら１ラインずつ送出する。
【００２９】
そして、このような画像蓄積サーバ１００の画像データの送信処理に対応して、画像表示装置３００では、画像データ蓄積処理（ステップＳＴ７）と通信状態遷移パターン確認処理（ステップＳＴ６）が、また、傍受画像表示装置４００では画像データ蓄積処理（ステップＳＴ８）が、それぞれ繰り返される。
【００３０】
次に、画像表示装置３００および傍受画像表示装置４００の画像データ蓄積処理（ステップＳＴ７、ＳＴ８）において、１フレーム分の画像データが画像メモリ３０３，４０３に蓄積されると、画像表示装置３００における画像データ復元処理（ステップＳＴ９）では、画像データ復元手段３０２が、画像メモリ３０３に蓄積されたＮ個に分割された画像データのブロックを連結し、元の画像データに復元して画像メモリ３０３に蓄積し直す。また、傍受画像表示装置４００の画像データ復元処理（ステップＳＴ１０）では、画像データ復元手段４０２も同様に画像メモリ４０３に蓄積されたデータブロックを連結して画像メモリ４０３に蓄積し直すが、ダミーデータが混在しているため、元の画像データに復元することが出来ない。
【００３１】
画像表示装置３００の画像データ表示処理（ステップＳＴ１１）において、その画像メモリ３０３に蓄積されている画像データは表示信号に変換され、表示器３０６に正常な画像として表示される。
【００３２】
一方、傍受画像表示装置４００の画像データ表示処理（ステップＳＴ１２）において、その画像メモリ４０３に蓄積されている画像データはダミーデータが混在しているため、表示器４０４に正常な画像として表示することができない。即ち、該当する画像データの主走査画素数（または水平方向画素数）、副走査ライン数（または垂直方向画素数）、色情報の三つの情報と実際の画像データが一致していなければ画像データを正常に表示することはできない。ネットワーク２００を流れる画像データではダミーデータが挿入されているため、傍受画像表示装置４００では、これら三つの情報と画像データとに不整合が発生し、正常な画像を表示することができない。
【００３３】
このように、実施の形態１画像通信システムでは、Ｎ個に分割した画像データ中にダミーデータを挿入しているため、ネットワーク２００上の傍受画像表示装置４００は正常な画像データを表示することが困難となる。
【００３４】
また、上記実施の形態１では、画像表示装置３００側でも画像蓄積サーバ１００と同様に、全ての通信状態遷移パターンテーブル５００を備えたが、画像表示装置３００側では少なくとも自装置の通信状態遷移パターンテーブル５００のみ備える構成であってもよい。
【００３５】
以上のように、実施の形態１の画像通信システムによれば、画像を配信する画像蓄積サーバと、画像蓄積サーバから受信した画像を表示する画像表示装置からなる画像通信システムであって、画像蓄積サーバは、予め設定した画像表示装置と複数の通信状態遷移パターンとの対応関係を管理し、これら複数の通信状態遷移パターンのうち、特定の画像表示装置に対応した通信状態遷移パターンを選択するサーバ用通信状態遷移パターン管理手段と、サーバ用通信状態遷移パターン管理手段で選択された通信状態遷移パターンを用いて、特定の画像表示装置に送信する画像データを生成する画像データ生成手段とを備え、画像表示装置は、画像蓄積サーバで保持されている通信状態遷移パターンと同一の通信状態遷移パターンを管理し、自画像表示装置に対応した通信状態遷移パターンを選択する端末用通信状態遷移パターン管理手段と、画像蓄積サーバより受信した画像データから、端末用通信状態遷移パターン管理手段で選択された通信状態遷移パターンを用いて表示画像データを復元する画像データ復元手段とを備えたので、たとえ、ネットワーク上に画像データを傍受する傍受画像表示装置が接続されていたとしても、この傍受画像表示装置では表示画像データを復元することができず、従って、画像データの漏洩を防止することができる。
【００３６】
実施の形態２．
実施の形態２は、実施の形態１の構成に加えて通信履歴に基づいて通信状態遷移パターンを変化させるようにしたものである。
【００３７】
図４は、実施の形態２の画像通信システムの構成図である。
図において、画像蓄積サーバ１００ａは、サーバ用通信状態遷移パターン管理手段１０１ａ、画像データ生成手段１０２（画像データ蓄積手段１０４、画像データ分割手段１０５）、通信制御手段１０３およびサーバ用通信履歴管理手段１０６を備えている。サーバ用通信履歴管理手段１０６は、画像表示装置３００ａとの通信履歴を管理する手段であり、サーバ用通信状態遷移パターン管理手段１０１ａは、サーバ用通信履歴管理手段１０６で管理されている通信履歴に基づいて、通信状態遷移パターンを選択するよう構成されている。
【００３８】
また、画像表示装置３００ａは、端末用通信状態遷移パターン管理手段３０１ａ、画像データ復元手段３０２、画像メモリ３０３、通信制御手段３０４、端末ＩＤ記録手段３０５、表示器３０６および端末用通信履歴管理手段３０７を備えている。端末用通信履歴管理手段３０７は、画像蓄積サーバ１００ａとの通信履歴を管理する手段であり、端末用通信状態遷移パターン管理手段３０１ａは、この端末用通信履歴管理手段３０７で管理される通信履歴に対応して通信状態遷移パターンテーブル５００を選択するよう構成されている。
【００３９】
図５は、端末ＩＤと通信状態遷移パターンテーブルと通信履歴との関係を示す説明図である。
図において、通信回数とは、サーバ用通信履歴管理手段１０６と端末用通信履歴管理手段３０７で管理される通信履歴であり、画像蓄積サーバ１００ａおよび画像表示装置３００ａは、その通信回数に応じてＬ個の通信状態遷移パターンテーブルを順番に用いるよう設定されている。また、このような設定情報は、サーバ用通信状態遷移パターン管理手段１０１ａと端末用通信状態遷移パターン管理手段３０１ａで保持されている。
【００４０】
図４に戻り、これ以外の画像蓄積サーバ１００ａと画像表示装置３００ａ中の構成および傍受画像表示装置４００の構成は、実施の形態１と同様であるため、ここでの説明は省略する。
【００４１】
次に、実施の形態２の動作について説明する。
図６は、実施の形態２の画像通信システムの通信シーケンスを示す説明図である。
ここで、端末ＩＤ記録処理（ステップＳＴ１）、画像閲覧開始処理（ステップＳＴ２）、画像データ分割処理（ステップＳＴ３）、画像データ送信処理（ステップＳＴ５）、画像データ蓄積処理（ステップＳＴ７，ステップＳＴ８）、画像データ復元処理（ステップＳＴ９，ステップＳＴ１０）、画像データ表示処理（ステップＳＴ１１，ステップＳＴ１２）は実施の形態１の図３で説明した処理と同様である。また、サーバ用通信履歴管理手段１０６および端末用通信履歴管理手段３０７は、それぞれ通信した回数を記録しているものとする。
【００４２】
通信履歴検索処理（ステップＳＴ２１）において、画像蓄積サーバ１００ａの通信履歴管理手段１０６は該当する端末ＩＤを持つ画像表示装置３００ａへ画像データを送信した通信回数を、画像蓄積サーバ１００ａのサーバ用通信状態遷移パターン管理手段１０１ａに渡す。
【００４３】
通信履歴検索処理（ステップＳＴ２２）において、画像表示装置３００ａの端末用通信履歴管理手段３０７は、画像蓄積サーバ１００ａから画像データを受信した通信回数を、画像表示装置３００ａの端末用通信状態遷移パターン管理手段３０１ａに渡す。
【００４４】
通信状態遷移パターン確認処理（ステップＳＴ２３）において、画像蓄積サーバ１００ａのサーバ用通信状態遷移パターン管理手段１０１ａは、図５に示した設定情報に従い、通信回数と受信した端末ＩＤから対応する番号の通信状態遷移パターンテーブル５００を選択する。
【００４５】
通信状態遷移パターン確認処理（ステップＳＴ２４）において、画像表示装置３００ａの端末用通信状態遷移パターン管理手段３０１ａは、図５に示した設定情報に従い、通信回数と端末ＩＤ記録手段３０５に記録された端末ＩＤから対応する番号の通信状態遷移パターンテーブル５００を選択する。
【００４６】
通信履歴更新処理（ステップＳＴ２５）において、画像蓄積サーバ１００ａのサーバ用通信履歴管理手段１０６は、該当する端末ＩＤを持つ画像表示装置３００ａへ画像データを送信した通信回数を一つ増加させて記録する。
【００４７】
通信履歴更新処理（ステップＳＴ２６）において、画像表示装置３００ａの端末用通信履歴管理手段３０７は、画像蓄積サーバ１００ａから画像データを受信した通信回数を一つ増加させて記録する。
【００４８】
以上のように画像通信システムを構成することで、端末ＩＤと通信回数に対応する任意の通信状態遷移パターンで画像データの送受を行うため、通信回数を知り得ない傍受画像表示装置４００は正常な画像データを傍受することが、実施の形態１より困難となる。
【００４９】
また、画像蓄積サーバ１００ａと画像表示装置３００ａの通信履歴に不整合が生じ画像データが正常に表示されなかった場合には、画像表示装置３００ａは、画像蓄積サーバ１００ａに自身の端末ＩＤに対応する通信履歴をリセットする要求をネットワーク２００を介して送信してもよい。これにより、サーバ用通信履歴管理手段１０６と端末用通信履歴管理手段３０７で管理する通信履歴をリセットする。
【００５０】
以上のように、実施の形態２の画像通信システムによれば、画像蓄積サーバは、画像表示装置との通信履歴を管理するサーバ用通信履歴管理手段を備え、サーバ用通信状態遷移パターン管理手段は、画像表示装置との通信履歴に対応して通信遷移パターンを選択し、画像表示装置は、画像蓄積サーバとの通信履歴を管理する端末用通信履歴管理手段を備え、端末用通信状態遷移パターン管理手段は、端末用通信履歴管理手段で管理される通信履歴に対応して通信遷移パターンを選択するようにしたので、より確実に画像データの漏洩を防止することができる。
【００５１】
また、実施の形態２の画像通信システムによれば、サーバ用通信履歴管理手段と端末用通信履歴管理手段は、相互の通信履歴に不整合が生じた場合に、管理する通信履歴をリセットするようにしたので、画像蓄積サーバと画像表示装置間の通信履歴の不整合により画像データが復元できないといった状態を回避することができる。
【００５２】
実施の形態３．
実施の形態３は、実施の形態１の構成に加えて画像蓄積サーバ１００ｂと画像表示装置３００ｂとで同期した時刻情報に基づいて通信状態遷移パターンを変化させるようにしたものである。
【００５３】
図７は、実施の形態３の画像通信システムの構成図である。
図において、画像蓄積サーバ１００ｂは、サーバ用通信状態遷移パターン管理手段１０１ｂ、画像データ生成手段１０２（画像データ蓄積手段１０４、画像データ分割手段１０５）、通信制御手段１０３およびサーバ用時刻情報管理手段１０７を備えている。サーバ用時刻情報管理手段１０７は、画像表示装置３００ｂと同期した時刻情報を管理する手段であり、サーバ用通信状態遷移パターン管理手段１０１ｂは、サーバ用時刻情報管理手段１０７で管理されている時刻情報に基づいて、通信状態遷移パターンを選択するよう構成されている。
【００５４】
また、画像表示装置３００ｂは、端末用通信状態遷移パターン管理手段３０１ｂ、画像データ復元手段３０２、画像メモリ３０３、通信制御手段３０４、端末ＩＤ記録手段３０５、表示器３０６および端末用時刻情報管理手段３０８を備えている。端末用時刻情報管理手段３０８は、画像蓄積サーバ１００ａと同期した時刻情報を管理する手段であり、端末用通信状態遷移パターン管理手段３０１ｂは、この端末用通信履歴管理手段３０７で管理される時刻情報に対応して通信状態遷移パターンテーブル５００を選択するよう構成されている。
【００５５】
図８は、端末ＩＤと通信状態遷移パターンテーブルと時刻情報との関係を示す説明図である。
図において、時刻とは、サーバ用時刻情報管理手段１０７と端末用時刻情報管理手段３０８とで同期し、管理される時刻情報であり、画像蓄積サーバ１００ｂと画像表示装置３００ｂは、同期した時刻情報に応じてＬ個の通信状態遷移パターンテーブルを順番に用いるよう設定されている。この例では、各端末ＩＤに対応する通信状態遷移パターンテーブル５００の番号は、時刻が一定時間Ｔ毎に一つ増加し、かつ、１からＬの間の値を周期的にとるものとしている。また、このような設定情報は、サーバ用通信状態遷移パターン管理手段１０１ｂおよび端末用通信状態遷移パターン管理手段３０１ｂで保持されている。
【００５６】
図７に戻り、これ以外の画像蓄積サーバ１００ｂと画像表示装置３００ｂの構成および傍受画像表示装置４００の構成は、実施の形態１と同様であるため、ここでの説明は省略する。
【００５７】
次に、実施の形態３の動作について説明する。
図９は、実施の形態３の画像通信システムの通信シーケンスを示す説明図である。
ここで、端末ＩＤ記録処理（ステップＳＴ１）、画像閲覧開始処理（ステップＳＴ２）、画像データ分割処理（ステップＳＴ３）、画像データ送信処理（ステップＳＴ５）、画像データ蓄積処理（ステップＳＴ７，ステップＳＴ８）、画像データ復元処理（ステップＳＴ９，ステップＳＴ１０）、画像データ表示処理（ステップＳＴ１１，ステップＳＴ１２）は実施の形態１の図３で説明した処理と同様である。また、ネットワーク２００のプロトコルとしてＴＣＰ／ＩＰを使用し、画像蓄積サーバ１００ｂのサーバ用時刻情報管理手段１０７と、画像表示装置３００ｂの端末用時刻情報管理手段３０８との時刻同期にはＮＴＰ（Network Time Protocol）を使用する。
【００５８】
時刻計測処理（ステップＳＴ３１）において、画像蓄積サーバ１００ｂのサーバ用時刻情報管理手段１０７は現在時刻を通信状態遷移パターン管理手段１０１ｂに渡す。
時刻計測処理（ステップＳＴ３２）において、画像表示装置３００ｂの端末用時刻情報管理手段３０８は、現在時刻を通信状態遷移パターン管理手段３０１ａに渡す。
【００５９】
通信状態遷移パターン確認処理（ステップＳＴ３３）において、画像蓄積サーバ１００ｂの通信状態遷移パターン管理手段１０１ｂは、例えば図８に示した設定情報に従い、時刻情報と受信した端末ＩＤから対応する番号の通信状態遷移パターンテーブル５００を選択する。
【００６０】
通信状態遷移パターン確認処理（ステップＳＴ３４）において、画像表示装置３００ｂの通信状態遷移パターン管理手段３０１ｂは、例えば図８に示した設定情報に従い、時刻情報と端末ＩＤ記録手段３０５に記録された端末ＩＤから、対応する番号の通信状態遷移パターンテーブル５００を選択する。
【００６１】
このように画像通信システムを構成することで、端末ＩＤと時刻に対応する任意の通信状態遷移パターンで画像データの送受を行うため、画像蓄積サーバ１００ｂと同期した時刻を知り得ない傍受画像表示装置４００は正常な画像データを傍受することが、実施の形態１より困難となる。
【００６２】
尚、上記実施の形態３では、時刻情報の同期手段として、ＮＴＰを用いたが、これに限定されるものではなく、サーバ用時刻情報管理手段１０７と端末用時刻情報管理手段３０８とで時刻が同期できるものであれば、どのようなものであってもよい。また、時刻としても、現在時刻でなくてもよく、画像蓄積サーバ１００ｂと画像表示装置３００ｂ間で時刻の同期が取れていれば、現在時刻以外の時刻であってもよい。
【００６３】
以上のように、実施の形態３の画像通信システムによれば、画像蓄積サーバは、画像表示装置と同期した時刻情報を管理するサーバ用時刻情報管理手段を備え、サーバ用通信状態遷移パターン管理手段は、サーバ用時刻情報管理手段で管理される時刻情報に対応して通信遷移パターンを選択し、画像表示装置は、画像蓄積サーバと同期した時刻情報を管理する端末用時刻情報管理手段を備え、端末用通信状態遷移パターン管理手段は、端末用時刻情報管理手段で管理される時刻情報に対応して通信遷移パターンを選択するようにしたので、より確実に画像データの漏洩を防止することができる。
【００６４】
また、実施の形態３の画像通信システムによれば、ネットワークのプロトコルとしてＴＣＰ／ＩＰを用い、時刻情報管理手段の時刻同期にＮＴＰを用いたので、簡単な構成で確実に画像蓄積サーバと画像表示装置間の時刻同期を図ることができる。
【００６５】
実施の形態４．
実施の形態４は、画像表示装置において、画像データ復元前の受信データを蓄積する画像データ蓄積手段を設けたものである。
【００６６】
図１０は、実施の形態４の画像通信システムの構成図である。
図示のように、画像表示装置３００ｃは、端末用通信状態遷移パターン管理手段３０１、画像データ復元手段３０２ａ、画像メモリ３０３、通信制御手段３０４、端末ＩＤ記録手段３０５、表示器３０６および画像データ蓄積手段３０９を備えている。画像データ蓄積手段３０９は、画像蓄積サーバ１００より受信した画像データを蓄積する例えばハードディスク装置からなるものであり、その記憶容量は、画像メモリ３０３に比べて大きくなっている。また、画像データ復元手段３０２ａは、分割された画像データを画像データ蓄積手段３０９に蓄積すると共に、この蓄積された画像データを用いて表示画像データを復元し、画像メモリ３０３に送出するよう構成されている。
また、これ以外の画像表示装置３００ｃの構成および画像蓄積サーバ１００と傍受画像表示装置４００の構成は図１に示した実施の形態１と同様であるため、ここでの説明は省略する。
【００６７】
次に、実施の形態４の動作について説明する。
図１１は、実施の形態４の画像通信システムの通信シーケンスを示す説明図である。
ここで、端末ＩＤ記録処理（ステップＳＴ１）、画像閲覧開始処理（ステップＳＴ２）、画像データ分割処理（ステップＳＴ３）、通信状態遷移パターン確認処理（ステップＳＴ４）、画像データ送信処理（ステップＳＴ５）、通信状態遷移パターン確認処理（ステップＳＴ６）、画像データ蓄積処理（ステップＳＴ８）、画像データ復元処理（ステップＳＴ１０）、画像データ表示処理（ステップＳＴ１２）は、実施の形態１と同様である。
【００６８】
画像データ蓄積処理（ステップＳＴ４１）において、画像表示装置３００ｃの通信制御手段３０４がネットワーク２００を介して画像蓄積サーバ１００から画像データかダミーデータのいずれかのブロックを受信する。そして、画像データ復元手段３０２ａは、通信状態遷移パターン確認処理（ステップＳＴ６）で選択された通信状態遷移パターンテーブル５００を参照し、受信したデータのブロックが、画像データであれば画像データ蓄積手段３０９に蓄積し、ダミーデータであれば画像データ蓄積手段３０９に蓄積せず破棄する。
【００６９】
画像データ復元処理（ステップＳＴ４２）において、画像表示装置３００ｃの画像データ復元手段３０２ａが画像データ蓄積手段３０９に蓄積されたＮ個に分割された画像データのブロックを連結して元の画像データに復元し、画像データ蓄積手段３０９に蓄積し直す。尚、図１１における画像データ分割処理（ステップＳＴ３）から画像データ復元処理（ステップＳＴ４２）までの処理は、画像蓄積サーバ１００の画像データ蓄積手段１０４に蓄積されている画像データの全てを画像表示装置３００ｃの画像データ蓄積手段３０９に蓄積するまで繰り返すことが可能である。
【００７０】
画像データ表示処理（ステップＳＴ４３）において、画像表示装置３００ｃの画像データ蓄積手段３０９に蓄積された画像データは、随時、画像メモリ３０３に転送され、表示信号に変換され、表示器３０６に正常な画像として表示される。
【００７１】
このように画像通信システムを構成すると、画像データを全て通信し、画像データ蓄積手段３０９に蓄積してから表示を行うので、画像表示装置３００ｃがネットワーク２００上に送出する画像データ要求（端末ＩＤを含む）が極めて少なくなり、傍受画像表示装置４００は端末ＩＤを傍受することが、実施の形態１、２、３よりも更に困難となる。
【００７２】
尚、上記実施の形態４では、実施の形態１の構成に適用したが、実施の形態２または実施の形態３の構成に適用してもよい。
【００７３】
以上のように、実施の形態４の画像通信システムによれば、画像表示装置は、復元された表示画像データを一時的に保持する画像メモリと、画像蓄積サーバから受信した画像データを蓄積する画像データ蓄積手段とを備え、画像データ復元手段は、画像データ蓄積手段に蓄積された画像データを用いて表示画像データを復元し、画像メモリに送出するようにしたので、更に、画像データの漏洩を確実に防止することができる。
【００７４】
実施の形態５．
実施の形態５は、画像表示装置から不正に画像データを送出した場合に、これを画像蓄積サーバに通知し、これにより、画像蓄積サーバで画像表示装置の不正使用と判定するようにしたものである。
【００７５】
図１２は、実施の形態５の画像通信システムの構成図である。
図において、画像蓄積サーバ１００ｃは、サーバ用通信状態遷移パターン管理手段１０１、画像データ生成手段１０２（画像データ蓄積手段１０４、画像データ分割手段１０５）、通信制御手段１０３および不正使用判定手段１０８を備えている。不正使用判定手段１０８は、画像表示装置３００ｄの画像データの転送を行った旨の通知を受けた場合、その画像表示装置３００ｄは画像データの不正使用を行ったと判定する手段である。
【００７６】
また、画像表示装置３００ｄは、端末用通信状態遷移パターン管理手段３０１、画像データ復元手段３０２、画像メモリ３０３、通信制御手段３０４、端末ＩＤ記録手段３０５、表示器３０６および画像データ転送通知手段３１０を備えている。画像データ転送通知手段３１０は、受信した画像データを外部に送出したことを検知した場合、これを画像蓄積サーバ１００ｃに通知する手段である。
【００７７】
また、これら以外の画像蓄積サーバ１００ｃ、画像表示装置３００ｄの構成および傍受画像表示装置４００の構成は、実施の形態１の画像通信システムと同様であるため、ここでの説明は省略する。
【００７８】
次に、実施の形態５の動作について説明する。
図１３は、実施の形態５の画像通信システムの通信シーケンスを示す説明図である。
図１３において、画像データ表示処理（ステップＳＴ４３）までの処理については、図１１で示した実施の形態４の動作と同様であるため、ここでの説明は省略する。
【００７９】
画像データ送信処理（ステップＳＴ５１）において、画像表示装置３００ｄの使用者は、画像データ蓄積手段３０９から画像データを選択し、通信制御手段３０４によりネットワーク２００を介して、傍受画像表示装置４００に画像データを送信する。
これにより、画像データ転送通知処理（ステップＳＴ５２）において、画像データ転送通知手段３１０が通信制御手段３０４によりネットワーク２００を介して、「画像データが無断に他の画像表示装置に転送された」ことを意味し該当する端末ＩＤを内包する画像データ転送通知を画像蓄積サーバ１００ｃに送信する。
【００８０】
不正使用判定処理（ステップＳＴ５３）において、画像蓄積サーバ１００ｃの不正使用判定手段１０８は、ネットワーク２００を介して画像データ転送通知手段３１０からの画像データ転送通知を受信すると、内包された端末ＩＤに基づいて、その端末ＩＤの画像表示装置３００ｄは不正使用を行ったと判定する。即ち、画像表示装置３００ｄは、画像を表示閲覧するための端末であり、画像データの外部への転送は許可されていない。このため、画像データの外部への転送を検知した場合は、傍受画像表示装置４００への転送であり、不正使用と判断する。
【００８１】
これにより、画像蓄積サーバ１００ｃでは、例えば、そのデータ転送を行った画像表示装置３００ｄに対して何らかの警告を行うか、またはその画像表示装置３００ｄのユーザに対して金銭的要求を行う、といった処置を行う。
【００８２】
あるいは、画像蓄積サーバ１００ｃにおいて、サーバ用通信状態遷移パターン管理手段１０１内の、実施の形態１の図２に示すような端末ＩＤと通信状態遷移パターンテーブルNo.の対応から該当する端末ＩＤへの対応付けを削除し、以降、画像表示装置３００ｄが正常な画像データを受信できなくする、といった処置を行ってもよい。このような処置を行った場合、以降、画像蓄積サーバ１００ｃから正常な画像データの受信が出来なくなり、データ漏洩を行った画像表示装置３００ｄを本画像通信システムから容易に排除することが出来る。
【００８３】
また、画像データ転送通知手段３１０は、画像データを外部に送出しようとした場合、これを検知して、警告メッセージを表示器３０６に表示させたり警告音を発生させたりといったように、不正使用への警告を行うようにしてもよい。
【００８４】
以上のように、実施の形態５の画像通信システムによれば、画像表示装置は、受信した画像データを外部に送出したことを検知した場合、これを画像蓄積サーバに通知する画像データ転送通知手段を備え、画像蓄積サーバは、画像データ転送通知手段より、通知を受けた場合、その画像表示装置は画像データの不正使用を行ったと判定する不正使用判定手段を備えたので、画像表示装置で画像データの不正使用があった場合でも、画像蓄積サーバ側でこれを確実に知ることができる。
【００８５】
また、実施の形態５の画像通信システムによれば、画像データ転送通知手段は、画像データを外部に送出しようとした場合、警告情報を発生するようにしたので、画像表示装置のユーザが誤って画像データを転送しようとした場合等でも、不正使用であることを知ることができ、画像データの不正使用を未然に防止することができる。
【００８６】
尚、上記実施の形態１〜５において、画像蓄積サーバ１００、１００ａ〜１００ｃに画像データの圧縮符号化手段、画像表示装置３００、３００ａ〜３００ｄに圧縮符号化された画像データを伸張する復号化手段を備えてもよい。このように構成すれば、圧縮符号化した画像データをネットワークで送受するためトラフィックが軽くなる。更に、画像蓄積サーバで圧縮符号化した画像データを画像分割し、ダミーデータを挿入して画像表示装置に送付することで、傍受画像表示装置は傍受した画像データの復号を行う場合、ダミーデータにより復号エラーが発生するため正常な画像データが全く得られなくなる。
【図面の簡単な説明】
【００８７】
【図１】この発明の実施の形態１による画像通信システムを示す構成図である。
【図２】この発明の実施の形態１における各画像表示装置と通信状態遷移パターンテーブルとの対応関係を示す説明図である。
【図３】この発明の実施の形態１における通信シーケンスを示す説明図である。
【図４】この発明の実施の形態２による画像通信システムを示す構成図である。
【図５】この発明の実施の形態２における各画像表示装置と通信状態遷移パターンテーブルとの対応関係を示す説明図である。
【図６】この発明の実施の形態２における通信シーケンスを示す説明図である。
【図７】この発明の実施の形態３による画像通信システムを示す構成図である。
【図８】この発明の実施の形態３における各画像表示装置と通信状態遷移パターンテーブルとの対応関係を示す説明図である。
【図９】この発明の実施の形態３における通信シーケンスを示す説明図である。
【図１０】この発明の実施の形態４による画像通信システムを示す構成図である。
【図１１】この発明の実施の形態４における通信シーケンスを示す説明図である。
【図１２】この発明の実施の形態５による画像通信システムを示す構成図である。
【図１３】この発明の実施の形態５における通信シーケンスを示す説明図である。
【符号の説明】
【００８８】
１００，１００ａ，１００ｂ，１００ｃ  画像蓄積サーバ、１０１，１０１ａ，１０１ｂ  サーバ用通信状態遷移パターン管理手段、１０２  画像データ生成手段、１０６  サーバ用通信履歴管理手段、１０７  サーバ用時刻情報管理手段、１０８  不正使用判定手段、３００，３００ａ,３００ｂ，３００ｃ，３００ｄ  画像表示装置、３０１、３０１ａ，３０１ｂ  端末用通信状態遷移パターン管理手段、３０２，３０２ａ  画像データ復元手段、３０３  画像メモリ、３０５  端末ＩＤ記録手段、３０７  端末用通信履歴管理手段、３０８  端末用時刻情報管理手段、３０９  画像データ蓄積手段、３１０  画像データ転送通知手段、４００  傍受画像表示装置。
【図１】
2007181069.tif 000003
【図２】
2007181069.tif 000004
【図３】
2007181069.tif 000005
【図４】
2007181069.tif 000006
【図５】
2007181069.tif 000007
【図６】
2007181069.tif 000008
【図７】
2007181069.tif 000009
【図８】
2007181069.tif 000010
【図９】
2007181069.tif 000011
【図１０】
2007181069.tif 000012
【図１１】
2007181069.tif 000013
【図１２】
2007181069.tif 000014
【図１３】
2007181069.tif 000015